(57)【要約】【課題】管理が容易な錠剤手撒き支援用テンプレートの提供。【解決手段】横並びで６行、縦並びで複数列並ぶ複数の収容部９１…９１に収容される錠剤を包装する装置に用い、平板状で、マトリクス状に配置された複数の領域１０…１０を有し、各収容部９１の上部に取り付けられたとき、各領域１０は各収容部９１に一致し、各領域１０には、錠剤の通過を許容する錠剤通過許容部２および錠剤の通過を阻止する錠剤通過阻止部３のいずれか一方が形成され、第１行および第５行では、奇数列の領域１０…１０に錠剤通過許容部２が形成され、偶数列の領域１０…１０に錠剤通過阻止部３が形成され、第３行では、奇数列の領域１０…１０に錠剤通過阻止部２が形成され、偶数列の領域１０…１０に錠剤通過許容部３が形成され、第２行、第４行および第６行では、全ての列の領域１０…１０に錠剤通過阻止部３が形成される錠剤手撒き支援用テンプレートである。【選択図】図１
2015213649.tif 000002
【特許請求の範囲】
【請求項１】
錠剤を収容する複数の収容部が、横並びで６行並ぶとともに縦並びで複数列並ぶように配置され、各収容部に収容される錠剤を順次、供給して包装する装置にて、各収容部に手作業で錠剤を投入する際に、各収容部の上部に取り付けて使用される錠剤手撒き支援用テンプレートであって、
平板状に形成され、
複数の領域を有し、各領域は、マトリクス状に配置され、
各収容部の上部に取り付けられたとき、各領域は、各収容部に一致し、
各領域には、錠剤の通過を許容する錠剤通過許容部および錠剤の通過を阻止する錠剤通過阻止部のいずれか一方が形成され、
第１行および第５行では、奇数列の領域に、錠剤通過許容部が形成され、偶数列の領域に、錠剤通過阻止部が形成され、
第３行では、奇数列の領域に、錠剤通過阻止部が形成され、偶数列の領域に、錠剤通過許容部が形成され、
第２行、第４行および第６行では、全ての列の領域に、錠剤通過阻止部が形成される錠剤手撒き支援用テンプレート。
【請求項２】
前記複数の領域は、横並びで６行分、縦並びで偶数列分並ぶように配置される請求項１に記載の錠剤手撒き支援用テンプレート。
【請求項３】
前記収容部に取り付けて使用する際の取り付け方向を示す表示部を備えた請求項１または２に記載の錠剤手撒き支援用テンプレート。
【請求項４】
一方の面において複数の表示部を備え、
前記複数の表示部が視覚により識別可能であり、各表示部が異なる色彩で表示された請求項３に記載の錠剤手撒き支援用テンプレート。
【請求項５】
前記錠剤通過阻止部のうち前記収容部に一致する部分の少なくとも一部が、厚さ方向に透視できるように形成された請求項１〜４のいずれかに記載の錠剤手撒き支援用テンプレート。
【発明の詳細な説明】
【技術分野】
【０００１】
本発明は、処方に応じた種類及び数量の錠剤を供給するための供給機構を有する装置にて使用される、錠剤手撒き支援用テンプレートに関するものである。
【背景技術】
【０００２】
薬剤包装装置など、分包紙や薬剤容器（バイアル瓶など）を用い、処方に応じた種類及び数量の錠剤を包装するための装置がある。この装置は、錠剤を供給するための供給機構と、供給機構から供給される錠剤を包装する包装機構とを有する。供給機構には、例えばこの装置の上面部に、錠剤を一時的に収容できる、複数行及び複数列に並ぶ複数の収容部を備えるものがある。なお、前記「行」は装置幅方向（横方向）についての複数の収容部の並びを指し、前記「列」は装置奥行き方向（縦方向）についての複数の収容部の並びを指す。収容部には、手作業で錠剤が投入される。収容部に投入された錠剤は、収容部ごとに前記包装機構に供給されて包装される。なお、前記「複数行」については、多くの装置で６行が採用されている。一方、「複数列」については、装置により様々である。
【０００３】
収容部は、処方頻度の少ない錠剤など、装置内で自動的に供給されない錠剤につき、薬剤師などの有資格作業者が処方に応じて手撒きする際に用いられる。手撒き作業では、例えば、１日あたりの服用回数が３回（分３処方）であるか、または４回（分４処方）であるかに応じて、各収容部に対し、錠剤が手作業で投入される。
【０００４】
分３処方では、収容部が６行並ぶ装置の場合、１列分の収容部に二日分の錠剤を収容できるため（６÷３＝２）、同一の服用時点に対応した複数の収容部が横一行に並ぶので、薬剤師などは、例えば朝に服用する錠剤を順次横方向に錠剤を供給していけばよいため、手撒き作業を楽に行うことができる。しかし分４処方では、収容部が６行並ぶ装置の場合、一日分に対応する収容部が隣の列にまたがるため（６÷４＝１余り２）、分３処方に比べて手撒き作業を行いにくく、錠剤投入につき間違い発生の可能性があるし、作業効率も低下する。
【０００５】
ここで、手撒き作業を効率よく行うため、特許文献１では、各収容部の上方に重ねて配置されるテンプレートとしての「支援プレート」が提案されている。この「支援プレート」は収容部が４行並ぶ装置に対して用いられるもので、同一の服用時点に応じた貫通穴を備えた板状体であり、貫通穴を通して各収容部に錠剤を投入することで、手撒き作業を効率よく行える。
【先行技術文献】
【特許文献】
【０００６】
【特許文献１】特開２００８−２７２４６１号公報（図２１〜図２２Ｆ）
【発明の概要】
【発明が解決しようとする課題】
【０００７】
しかし、特許文献１に記載された支援プレートは、分４処方では４枚の支援プレートが必要であった。このように支援プレートが複数枚必要であるとかさばるという問題がある。更に、大部分の錠剤は自動で包装され、手撒き作業は自動包装の対象外の錠剤についてのみ行われるため、支援プレートは時々しか用いられない。そして、支援プレートは装置とは物理的に結合されていない。このため、支援プレートを紛失してしまったり、手撒き作業の際に必要な支援プレートを即座に取り出せなかったりするなど、管理上の問題を引き起こす可能性がある。
【０００８】
そこで本発明は、管理が容易な錠剤手撒き支援用テンプレートを提供することを課題とする。
【課題を解決するための手段】
【０００９】
本発明は、錠剤を収容する複数の収容部が、横並びで６行並ぶとともに縦並びで複数列並ぶように配置され、各収容部に収容される錠剤を順次、供給して包装する装置にて、各収容部に手作業で錠剤を投入する際に、各収容部の上部に取り付けて使用される錠剤手撒き支援用テンプレートであって、平板状に形成され、複数の領域を有し、各領域は、マトリクス状に配置され、各収容部の上部に取り付けられたとき、各領域は、各収容部に一致し、各領域には、錠剤の通過を許容する錠剤通過許容部および錠剤の通過を阻止する錠剤通過阻止部のいずれか一方が形成され、第１行および第５行では、奇数列の領域に、錠剤通過許容部が形成され、偶数列の領域に、錠剤通過阻止部が形成され、第３行では、奇数列の領域に、錠剤通過阻止部が形成され、偶数列の領域に、錠剤通過許容部が形成され、第２行、第４行および第６行では、全ての列の領域に、錠剤通過阻止部が形成される錠剤手撒き支援用テンプレートである。
【００１０】
この構成によると、第１行および第５行では、奇数列の領域に、錠剤通過許容部が形成され、偶数列の領域に、錠剤通過阻止部が形成され、第３行では、奇数列の領域に、錠剤通過阻止部が形成され、偶数列の領域に、錠剤通過許容部が形成され、第２行、第４行および第６行では、全ての列の領域に、錠剤通過阻止部が形成される。このため、２枚使用で、例えば１枚目の表と裏とで分４処方のうち二つの服用時点に対応でき、２枚目の表と裏とで分４処方のうち他の二つの服用時点に対応できる。よって、錠剤手撒き支援用テンプレートの必要枚数を減らすことができる。
【００１１】
なお、前記「錠剤」は狭義の錠剤に限定されず、例えばカプセル剤なども含み、粉状、顆粒状、液状、気体状の形態を除く薬剤全般（ただし、カプセル内に封入されたものを除く）であって、薬剤師などが所定の分量（例えば一包分の分量）を手に取って分けることのできる形態を有しているものを広く含む。
【００１２】
また、前記複数の領域は、横並びで６行分、縦並びで偶数列分並ぶように配置されるものとできる。この構成によると、１枚使用で、例えば表かつ縦方向一方側、表かつ縦方向他方側、裏かつ縦方向一方側、裏かつ縦方向他方側で、分４処方の四つの服用時点に対応できる。よって、分４処方に対応する錠剤手撒き支援用テンプレートの必要枚数を１枚だけにできる。
【００１３】
また、前記各収容部に取り付けて使用する際の取り付け方向を示す表示部を備えたものとできる。この構成によると、薬剤師などが表示部を手掛かりに、各収容部上における錠剤手撒き支援用テンプレートの配置方向を迅速かつ的確に把握できる。
【００１４】
また、一方の面において複数の表示部を備え、前記複数の表示部が視覚により識別可能であり、各表示部が異なる色彩で表示されたものとできる。この構成によると、異なる色彩の表示部により薬剤師などが一目で各収容部上における錠剤手撒き支援用テンプレートの配置方向を把握できる。
【００１５】
また、前記錠剤通過阻止部のうち前記収容部に一致する部分の少なくとも一部が、厚さ方向に透視できるように形成されたものとできる。この構成によると、薬剤師などが既に手撒きした錠剤を錠剤通過阻止部越しに確認できるため、手撒き忘れの確認を、各収容部上から錠剤手撒き支援用テンプレートを取り外すことなく行うことができる。よって、手撒き忘れを容易に抑制できる。
【発明の効果】
【００１６】
本発明は、錠剤手撒き支援用テンプレートの必要枚数を減らすことできる。このため、管理が容易である。
【図面の簡単な説明】
【００１７】
【図１】本発明の一実施形態に係る錠剤手撒き支援用テンプレートが取り付けられる装置の一例を示す斜視図である。
【図２】同装置における収容部を示す平面図である。
【図３】本発明の一実施形態に係る錠剤手撒き支援用テンプレートを示し、（Ａ）は表面図、（Ｂ）は裏面図である。
【図４】同錠剤手撒き支援用テンプレートの使用要領（手撒き手順）を示す表面視または裏面視の説明図であり、（Ａ）は分４処方のうち例えば朝服用分の手撒き手順を示し、（Ｂ）は分４処方のうち例えば昼服用分の手撒き手順を示す。
【図５】同錠剤手撒き支援用テンプレートの使用要領（手撒き手順）を示す表面視または裏面視の説明図であり、（Ａ）は分４処方のうち例えば夕服用分の手撒き手順を示し、（Ｂ）は分４処方のうち例えば就寝前服用分の手撒き手順を示す。
【発明を実施するための形態】
【００１８】
次に、本発明につき、一実施形態を取り上げて説明を行う。本実施形態の手撒き支援用テンプレート（以下、「テンプレート」と表記する）１は、例えば図１に示す薬剤包装装置９０に対して用いられる。薬剤包装装置９０は、錠剤を供給する供給機構と、供給機構から供給される錠剤を包装する包装機構とを備え、処方に応じた種類及び数量の錠剤を１回あたりの服用量ごとに包装するために用いられる。供給機構は、錠剤を一時的に収容できる複数の収容部９１…９１を有し、各収容部９１は略水平な平面に沿ってマトリクス状に配置される。各収容部９１の上部には開口が形成され、各収容部９１には、この開口を介して上方から錠剤が手作業で投入される。各収容部９１に収容された錠剤は順次、包装機構に供給される。供給機構から供給される錠剤は、包装機構によって順次包装される。
【００１９】
各収容部９１は、前記平面上の第１方向（装置幅方向）に６行が並び、前記平面上で第１方向に交差する第２方向（装置奥行き方向）に８列が並ぶ。このようにして、４８個の収容部９１…９１が配設される。本実施形態の各収容部９１は、図１及び図２に示すように、図示装置奥側から装置手前側に向けて第１行、第２行…第５行、第６行のように行番号を設定し、図示装置左側から右側に向けて第１列、第２列…第７列、第８列のように列番号を設定している。なお、行番号は、図示装置手前側から装置奥側に向けて第１行、第２行…第５行、第６行のように行番号を設定しても良いし、図示装置右側から左側に向けて第１列、第２列…第７列、第８列のように列番号を設定しても良い。
【００２０】
各収容部９１には、予め手作業で、処方における１回あたりの服用量の錠剤が投入される。まず、第１列の各収容部９１に収容された錠剤について、第１行の各収容部９１に収容された錠剤から順に包装機構に供給される（第１列１行目、同２行目…）。その後、第２列以降の各収容部９１に収容された錠剤についても同様に、第１行の各収容部９１に収容された錠剤から順に、包装機構に供給される。
【００２１】
各収容部９１には、第１列第１行を始点として第１列第２行…第６行、第２列第１行…第６行（第３列以降も同じ）の順番で、各日における服用時点に服用すべき錠剤が服用順に並ぶように、錠剤が投入される。このため、処方における服用の順番で包装機構に錠剤を供給することができる。
【００２２】
例えば、薬剤師などが分４処方に応じて錠剤を手作業で各収容部９１に投入する際、各収容部９１には、図２上にて矢印で示したように、第１列については、第１行〜第６行の各収容部９１に、１日目の朝服用分、同昼服用分、同夕服用分、同就寝前服用分、２日目の朝服用分、同昼服用分の錠剤がそれぞれ投入される。第２列については、第１行〜第６行の各収容部９１に、２日目の夕服用分、同就寝前服用分、３日目の朝服用分、同昼服用分、同夕服用分、同就寝前服用分の錠剤がそれぞれ投入される。同じ要領で第３列以降についても、第１行〜第６行の各収容部９１に、錠剤がそれぞれ投入される。この投入された錠剤は、薬剤包装装置９０内部の図示しない包装機構に供給されて、例えば１回あたりの服用量ごとに包装される。
【００２３】
本実施形態のテンプレート１は、前記供給機構を備える装置（薬剤包装装置９０など）において、分４処方用の錠剤を各収容部９１に手作業で投入する際に用いられる。このテンプレート１は各収容部９１の上方に重ねるように取り付けて使用される。図３（Ａ）（Ｂ）に示すように、このテンプレート１は平板状体であって、厚み方向から見て略長方形状である。また、テンプレート１は端縁が短辺１１（左辺１１ａ、右辺１１ｂ）と長辺１２（上辺１２ａ、下辺１２ｂ）とされている。テンプレート１は、図３（Ａ）に示すように複数の領域１０…１０を有し、各領域１０はマトリクス状に配置される。テンプレート１の各領域１０は、各収容部９１の上方に重ねるように取り付けられたとき、第１方向に６行、第２方向に８列が並び、各領域１０は各収容部９１に一致する。各領域１０には、錠剤通過許容部である窓部２、または、錠剤通過阻止部である閉塞部３が形成される。各窓部２は、表面視及び裏面視の形状が収容部９１の上端形状に略一致した形状とされている。窓部２は厚さ方向に貫通し、錠剤の通過を許容する。また、閉塞部３は、窓部２の形成されない領域１０に形成され（閉塞部３は窓部２の形成されなかった残りの領域１０であるとも言える）、例えば図３（Ａ）に二点鎖線で示す範囲である。各収容部９１にテンプレート１が取り付けられた際に、この閉塞部３が各収容部９１を覆うことで、当該各収容部９１の上端開口を閉じることができ、錠剤の通過を阻止する。
【００２４】
このテンプレート１は分４処方専用である。テンプレート１の表面側形状の形態を図３（Ａ）に示し、裏面側形状を図３（Ｂ）に示す。なお、図３（Ｂ）に示す状態は、図３（Ａ）に示す状態の図示上部が図３（Ｂ）に示す状態の図示下部になるように裏返したものである。
【００２５】
図３（Ａ）に示す状態にて、窓部２…２と閉塞部３…３とは、各収容部９１に対応するように、第１方向に（横並びで）６行分、第２方向に（縦並びで）８列分の領域１０…１０に形成されている。各収容部９１と同様の行番号及び列番号を付すならば、第１行及び第５行では、奇数列（第１列、第３列、第５列、第７列）の領域１０…１０に窓部２…２が形成され、他の領域１０…１０に閉塞部３…３が形成されている。第３行では、偶数列（第２列、第４列、第６列、第８列）の領域１０…１０に前記窓部２…２が形成され、他の領域１０…１０に閉塞部３…３が形成されている。第２行、第４行、第６行では、窓部２は形成されておらず、全列の領域１０…１０に閉塞部３…３が形成されている。
【００２６】
本実施形態のテンプレート１は、表裏それぞれにおいて、上辺１２ａと下辺１２ｂとが入れ替わるように平面方向に回転させる（上下ひっくり返す）ことにより、各収容部９１に対して４パターンの向きで使用できる。このため、各パターンを分４処方の各服用時点（朝、昼、夕、就寝前）に対応させることができる。よって、テンプレート１の使用枚数が１枚であっても、例えば表かつ縦方向一方側、表かつ縦方向他方側、裏かつ縦方向一方側、裏かつ縦方向他方側で、分４処方の四種類の服用時点に対応できるので、複数枚数が必要な場合と比べ、管理負担を軽減できる。
【００２７】
このように１枚を４パターンの向きで使用するため、薬剤師などが向きを容易に識別できるように、このテンプレート１には、各収容部９１の上方に取り付けて使用する際の取り付け方向を示す表示部４を備える。この表示部４として、表面には、図３（Ａ）に示す左上隅に第１の表示４ａとして数字「１」が表示され、右下隅に第２の表示４ｂとして数字「４」が表示されている。そして裏面には、図３（Ｂ）に示す左上隅に第３の表示４ｃとして数字「２」が表示され、右下隅に第４の表示４ｄとして数字「３」が表示されている。分４処方の各服用時点への対応は、各表示（数字）が左上に位置するように各収容部９１の上方に取り付けた場合に、第１の表示４ａ（数字「１」）が朝に、第３の表示４ｃ（数字「２」）が昼に、第４の表示４ｄ（数字「３」）が夕に、第２の表示４ｂ（数字「４」）が就寝前に対応する。このように、テンプレート１が表示部４を備えるため、薬剤師などが表示部４（４ａ〜４ｄ）を手掛かりに、各収容部９１上におけるテンプレート１の配置方向を迅速かつ的確に把握できる。
【００２８】
更に、表面に表示される第１の表示４ａ（数字「１」）と第２の表示４ｂ（数字「４」）とは異なる色彩とされ、裏面に表示される第３の表示４ｃ（数字「２」）と第４の表示４ｄ（数字「３」）とは異なる色彩とされている。このため、異なる色彩の表示部４，４により薬剤師などが一目で各収容部９１上におけるテンプレート１の配置方向を把握できるので、テンプレート１の配置方向をより迅速かつ的確に把握できる。
【００２９】
次に、テンプレート１の使用手順の一例について説明する。まず、分４処方で朝服用分の錠剤を手撒きするには、図３（Ａ）及び図４（Ａ）に示すように第１の表示４ａ（数字「１」）が左上にくるようにテンプレート１を各収容部９１の上方に取り付ける。そして、図４（Ａ）の矢印のように、２ａ、２ｂ、２ｃ、…２ｊ、２ｋ、２ｌの順で錠剤を投入する。なお、処方日数が１２日未満の場合は、処方日数に対応する窓部２まで錠剤の投入を行う（他の服用時点も同様）。
【００３０】
朝服用分の錠剤投入が終わったら昼服用分の錠剤を手撒きする。テンプレート１を裏返し、図３（Ｂ）及び図４（Ｂ）に示すように第３の表示４ｃ（数字「２」）が左上にくるようにする。そして、図４（Ｂ）の矢印のように、２ｂ、２ａ、２ｃ、…２ｋ、２ｊ、２ｌの順で錠剤を供給する。
【００３１】
昼服用分の錠剤投入が終わったら夕服用分の錠剤を手撒きする。テンプレート１を裏返さず図上の上下を逆さまにし、図５（Ａ）に示すように第４の表示４ｄ（数字「３」）が左上にくるようにする。そして、図５（Ａ）の矢印のように、２ｌ、２ｊ、２ｋ、…２ｃ、２ａ、２ｂの順で錠剤を供給する。
【００３２】
夕服用分の錠剤投入が終わったら就寝前服用分の錠剤を手撒きする。テンプレート１を裏返し、図５（Ｂ）に示すように第２の表示４ｂ（数字「４」）が左上にくるようにする。そして、図５（Ｂ）の矢印のように、２ｌ、２ｋ、２ｊ、…２ｃ、２ｂ、２ａの順で錠剤を供給する。これら一連の手順により、枡部９１に分４処方に応じた錠剤が供給される。
【００３３】
各収容部９１への錠剤の投入が終了した後、処方に応じて更に異なる錠剤を投入する必要があれば、前述の手順と同様にテンプレート１を用いて、各収容部９１に対して錠剤を投入する。なお、複数種類の錠剤を同時に各収容部９１に投入することもできる。
【００３４】
ここで、閉塞部３は不透明に形成することもできるし、透明または半透明に形成することもできる。特に、閉塞部３のうち収容部９２に一致する部分の少なくとも一部が透明または半透明であって、厚さ方向に透視できるように形成された場合には、薬剤師などが既に手撒きした錠剤を閉塞部３越しに確認できるため、手撒き忘れの確認を、各収容部９１上からテンプレート１をいちいち取り外すことなく行うことができる。よって、手撒き忘れを容易に抑制できる。
【００３５】
以上、本発明の一実施形態について説明したが、本発明は前記実施形態に限定されるものではなく、本発明の要旨を逸脱しない範囲内において種々の変更を加えることができる。
【００３６】
例えば、各収容部９１に対する手撒き開始位置は、前記実施形態では左上隅の収容部９１であったが、この位置は薬剤包装装置９０などの装置により異なる。よって、どのように列番号と行番号を設定するかに応じて、左下隅、右上隅、右下隅のいずれかの収容部９１が手撒き開始位置となることがある。
【００３７】
また、前記実施形態では、複数の収容部９１…９１の列数とテンプレート１上の領域１０…１０の列数が共に８列とされていたが、これに限定されず、一方の列数を他方の列数よりも大きくすることもできる。
【００３８】
また、前記実施形態では、テンプレート１上で窓部２と閉塞部３とは偶数列である８列分の領域１０…１０に位置していたが、これに限られず、奇数列（例えば１１列）分の領域１０…１０に位置させることもできる。ただし、窓部２と閉塞部３とを奇数列分の領域１０…１０に位置させた場合、前記実施形態のように、裏返さずに上下を逆さまにして使用することはできないため、窓部２と閉塞部３との形成位置が異なる２枚のテンプレート１が必要となる。しかし、２枚使用する場合であっても、例えば１枚目の表と裏とで分４処方のうち二種類の服用時点に対応でき、２枚目の表と裏とで分４処方のうち他の二種類の服用時点に対応できるので、テンプレート１の必要枚数を減らすことができるというメリットがある。
【００３９】
また、表示部４については、前記実施形態では数字を用いたがこれに限定されない。例えば、記号や文字（例えば「朝」「昼」「夕」「寝」など）を用いることができる。また、テンプレート１の表面に色彩または模様を塗り分けた塗装がなされることにより、塗装された部分を表示部４として用いることができる。更に、テンプレート１が樹脂製の場合、樹脂自体に顔料などが加えられたことで着色された部分を表示部４とできる。また、前記実施形態のように表示部４として数字を用い、数字自体は単色あるいは無色で表示した上で、数字の周囲を数字自体と異なる色彩で着色することもできる。
【００４０】
そして表示部４については、視覚のみにより識別可能な表示に限られず、触覚により識別可能な表示とすることもできる。例えばテンプレート１の表面または裏面に形成された凹凸、端縁に形成された切欠、貫通孔が例示でき、その他形態の表示部４ともできる。
【００４１】
また、各収容部９１、または、テンプレート１と各収容部９１の両方に、テンプレート１を各収容部９１に取り付ける際の位置合わせを容易にするマークなどを表示することもできる。
【００４２】
また、前記実施形態では、分４処方における全ての服用時点にテンプレート１を対応させ、錠剤を各収容部９１に投入する場合のテンプレート１の使用手順を説明したが、処方によって、特定の服用時点を除いて錠剤を収容部に投入する必要がある場合は、特定の服用時点以外にテンプレートを対応させ、錠剤を各収容部９１に投入することもできる。
【符号の説明】
【００４３】
１      錠剤手撒き支援用テンプレート
１０    領域
２      錠剤通過許容部、窓部
３      錠剤通過阻止部、閉塞部
４      表示部
９０    装置、薬剤包装装置
９１    収容部
【図１】
2015213649.tif 000003
【図２】
2015213649.tif 000004
【図３】
2015213649.tif 000005
【図４】
2015213649.tif 000006
【図５】
2015213649.tif 000007